Podtech/llm-jp-corpus-v4-ja_patent huggingface dataset:
(57)【要約】      （修正有）【課題】本考案は、タオルにファッション性と実用性を備えることを目的とする。【解決手段】首にかけたときのタオル自体のファッション性を向上するため、その両端が細くなるよう、適度な丸みをつけ加工すると共に、無地、色物、柄物等、デザインされたタオルにより形成することから、首から掛けたとき、そのファッションスタイルを良くする。また、首に掛けた状態で、その両端の垂れ部を適度な長さで瞬時に一対に束ねられるよう、その片側に着脱可能機能体を取り付けることにより、タオルの離脱等を防止し、瞬時の取り外しにも対応する。タオル自体は、吸水性の優れた素材を使用することにより、従来どおり発汗等を処理することができる。【選択図】図３
0003128308.tif 000002
【実用新案登録請求の範囲】
【請求項１】
タオルの両端に丸みを施すよう細く加工し、かつ首に掛けたとき、落ちないように、両端の垂れ部を適度な長さで一対に束ねられる着脱機能体がついていることを特徴とする首掛けファッションタオル。
【請求項２】
前記一対に束ねられる着脱機能体は、両端の垂れ部のその片側に、タオルと同じ材質による帯状ベルトが取り付けられ、そのベルトの両端に着脱可能な面ファスナーが取り付けられていることを特徴とする請求項１記載の首掛けファッションタオル。
【考案の詳細な説明】
【技術分野】
【０００１】  本考案は、首に掛けたタオルの、ファッション性と作業性を向上させ、かつ、機能性を低下させることなく使用できる、首掛けファッションタオルに関するものである。
【背景技術】
【０００２】  日々の生活をしていくさまざまな場面で、タオルを首に掛けた人をよく見かける。
しかし、首に掛けたタオルは、形も長方形が主であることから、印象がいまひとつの場合もあり、ＴＰＯにもなかなかマッチしない。
また、スポーツ時や作業時などは非常に実用的で便利である反面、首から落ちたりずれたりちらついたりして、作業性もよくないことが現状である。【０００３】  従来、タオルがずれ落ちないように、口で端を銜えたり、両端を結んだり、服の襟首に両端を押し込んだりしている人をよく見かけるが、そのタオルだけが不憫で、服装とマッチしていないことがあったり、そのスタイルは不自然な印象を受けたりすることがある。【０００４】  そこで、これらの問題を解決すべく、誰もが首掛け使用するタオルに、ファッション性と実用性をもたせ好感を抱かせ、かつ、従来の機能も損ねない、といったことが出来れば、使用者には果報である。
【考案の開示】
【考案が解決しようとする課題】
【０００５】  首からタオルを掛ける、という行為は、日常茶飯事なことである。
しかし、首に掛けたタオルは、服装とマッチしない場合もあり、そういった時には、見た感じも好いものではなく、ファッションセンスに欠けている。
また、スポーツ時や作業時など、首に掛けたタオルは、落ちたりずれたりして、たいへん、不便な時がある。
本考案は、そうしたかかる事情を鑑み、タオルにファッション性と実用性を備えることを目的とする。
【課題を解決するための手段】
【０００６】  首にかけたときのタオル自体のファッション性を向上するため、その両端が細くなるよう、適度な丸みをつけ加工すると共に、無地、色物、柄物等、デザインされたタオルにより形成することから、首から掛けたとき、そのファッションスタイルを良くする。
また、首に掛けた状態で、その両端の垂れ部を適度な長さで瞬時に一対に束ねられるよう、その片側に着脱可能機能体を取り付けることにより、タオルの離脱等を防止し、瞬時の取り外しにも対応する。
タオル自体は、吸水性の優れた素材を使用することにより、従来どおり発汗等を処理することができる。
【考案の効果】
【０００７】  本考案の首掛けファッションタオルは、その形、色、柄等の組合せにより、女性にも気軽に首に掛けることができるファッション性と機能性を備え、汗を拭う道具であることはもちろん、魅せるタオルとして、さまざまな場面において老若男女を問わず使用できる利点がある。
【考案を実施するための最良の形態】
【０００８】  本考案の実施形態を図面に基づき説明する。
図１は本考案のさまざまなデザイン３種例の平面図である。図２はベルトの平面図である。図３は首掛けファッションタオルの装着方法図兼装着イメージ図である。【０００９】  図１は首掛けファッションタオルの平面図であり、両端を細く加工したタオル１とそれを束ねる機能を持つ、面ファスナーが取り付けられたベルト２とから構成されている。【００１０】  図３に示すように、ファッションタオルを▲１▼のように首にかける。次に▲２▼のように、両端の垂れ部を一対に束ね、図２のベルトを巻きつけ、装着されている面ファスナーを固定する。▲３▼は装着完了した図である。
【図面の簡単な説明】
【００１１】
【図１】本考案の平面図
【図２】ベルト詳細平面図
【図３】本考案における装着方法図兼装着見取り図
【符号の説明】
【００１２】１    両端を細く加工したタオル
２    一対に束ねるためのベルト
0003128308.tif 000003
【図１】
0003128308.tif 000004
【図２】
0003128308.tif 000005
【図３】
0003128308.tif 000006
(57)【要約】【課題】  水平吊掛部にズボンやネクタイを簡単迅速に吊り掛けることができながら、水平吊掛部からのズボンやネクタイの滑り落ちを防止すること。【解決手段】  山形状の肩吊掛部２とその中央上部に設けられるフック部３と肩吊掛部２の下端部間に架設される水平吊掛部４とを備えたハンガー１において、水平吊掛部４の外周にズボンやネクタイの滑りを止める滑り止めシート５を設けた。【選択図】図１
0003128303.tif 000002
【実用新案登録請求の範囲】
【請求項１】
山形状の肩吊掛部とその中央上部に設けられるフック部と肩吊掛部の下端部間に架設される水平吊掛部とを備えたハンガーにおいて、水平吊掛部の外周にズボンやネクタイの滑りを止める滑り止めシートを設けたことを特徴とするハンガー。
【考案の詳細な説明】
【技術分野】
【０００１】  本考案は、山形状の肩吊掛部とその中央上部に設けられるフック部と肩吊掛部の下端部間に架設される水平吊掛部とを備えたハンガーに関するものである。
【背景技術】
【０００２】  一般にハンガーは、山形状の肩吊掛部とその中央上部に設けられるフック部と肩吊掛部の下端部間に架設される水平吊掛部とから構成されている。そして、使用時にはフック部を例えば洋服タンスなどの吊掛用水平パイプなどに引っ掛け、肩吊掛部にシャツや洋服を吊り掛ける一方、水平吊掛部にズボンやネクタイなどを吊り掛けるようにしている。【０００３】  そして、水平吊掛部に単にズボンやネクタイを吊り掛けただけでは、水平吊掛部からズボンやネクタイが容易に滑り落ちてしまうことから、樹脂製のハンガーの場合、水平吊掛部の端部にズボンやネクタイを挟持するクリップ部を水平吊掛部と一体に設け、水平吊掛部にズボンやネクタイを吊り掛ける際、クリップ部にズボンやネクタイを差し込んで挟持させるより水平吊掛部からのズボンやネクタイの滑り落ちを防止するようにしている。
【考案の開示】
【考案が解決しようとする課題】
【０００４】  ところが、上記したようなクリップ部を設けたハンガーにあっては、水平吊掛部にズボンやネクタイを吊り掛ける際に、いちいちクリップ部にズボンやネクタイを差し込んで挟持させる必要があり、その作業が非常に煩雑で手間を要するものであった。また、その挟持作業を雑に行うとズボンやネクタイにしわがついてしまうといった恐れもあった。【０００５】  そこで、本考案は、水平吊掛部にズボンやネクタイを簡単に吊り掛けることができながら、水平吊掛部からのズボンやネクタイの滑り落ちが確実に防止できるハンガーの提供を課題とする。
【課題を解決するための手段】
【０００６】  上記した問題を解決するために、本考案は、山形状の肩吊掛部とその中央上部に設けられるフック部と肩吊掛部の下端部間に架設される水平吊掛部とを備えたハンガーにおいて、水平吊掛部の外周にズボンやネクタイの滑りを止める滑り止めシートを設けたことを特徴とする。
【考案の効果】
【０００７】  本考案によれば、水平吊掛部に滑り止めシートを設けたから、水平吊掛部にズボンやネクタイをその中間部で折り返し状態に吊り掛けるだけのごく簡単な作業で迅速容易に吊り掛けることができながら、水平吊掛部に吊り掛けられたズボンやネクタイの水平吊掛部からの滑り落ちが滑り止めシートにより確実に阻止される。
【考案を実施するための最良の形態】
【０００８】  以下、本考案の実施の形態を図に基づいて説明する。
図１は本考案に係るハンガーを示すもので、このハンガー１は山形状の肩吊掛部２とその中央上部に設けられるフック部３と肩吊掛部２の下端部間に架設され、ズボンやネクタイを吊り下げる水平吊掛部４とを備えている。【０００９】  そして、図２に示すように水平吊掛部４の外周にズボンやネクタイの滑りを止める滑り止めシート５を設けたのである。
滑り止めシート５は樹脂又はゴム製で、その裏面に例えば両面テープなどの貼着剤層６が積層されており、その滑り止めシート５を水平吊掛部５のほぼ全体に巻き付けながら貼着剤層６により貼着している。滑り止めシート５の水平吊掛部４への巻き付け方法としては、平巻きであってもよいし、斜め方向に螺旋状に巻き付けたりしてもよい。【００１０】  本考案のハンガー１は以上のように、その水平吊掛部４に滑り止めシート５を設けているので、使用に際し、水平吊掛部４にズボンやネクタイをその中間部で折り返し状態に吊り掛けるだけのごく簡単な作業で迅速容易に吊り掛けることができながら、水平吊掛部４に吊り掛けられたズボンやネクタイの水平吊掛部４からの滑り落ちが滑り止めシート５により確実に阻止される。【００１１】  また、上記した実施の形態では、滑り止めシート５の裏面に両面テープ６を設けたうえで滑り止めシート５を水平吊掛部４の外周のほぼ全体に巻き付けて両面テープ６により貼着したけれども、この他、例えば裏面に両面テープ６を貼着していない滑り止めシート５を水平吊掛部の外周全体に巻き付け、その後両端部を固定用テープ（図示せず）で固定することにより水平吊掛部４に滑り止めシート５を取り付けるようにしてもよい。また、図３に示すように裏面に両面テープ６が積層されたした複数の滑り止めシート５を水平吊掛部４に所定間隔をおいて貼着するようにしてもよい。
【図面の簡単な説明】
【００１２】
【図１】  本考案に係るハンガーの正面図である。
【図２】  同要部の拡大断面図である。
【図３】  別の実施の形態の正面図である。
【符号の説明】
【００１３】  １          ハンガー
２          肩吊掛部
３          フック部
４          水平吊掛部
５          滑り止めシート
【図１】
0003128303.tif 000003
【図２】
0003128303.tif 000004
【図３】
0003128303.tif 000005
(57)【要約】【課題】乗り物の中、等の不安定な場所で使い捨て容器に入ったお弁当を食べる際、滑りにくくして、安心して食べることができるようにする。【解決手段】当箱の底に摩擦の大きい素材を塗布又は貼り付け、弁当箱を滑らないようにする。【選択図】図１
0003128310.tif 000002
【実用新案登録請求の範囲】
【請求項１】
弁当箱の底に摩擦の大きい素材を塗布又は貼り付け、弁当箱を滑らないようにする。
【考案の詳細な説明】
【考案の開示】
【考案が解決しようとする課題】
【０００１】従来のお弁当箱、特にプラスチック製や木製は乗り物の中で食べるときに小さなテーブルの上に置くことが多く、乗り物の急な動き等で滑落の危険があった。
【課題を解決するための手段】
【０００２】弁当箱の底に摩擦の大きい素材を塗布又は貼り付け弁当箱を滑らないようにする。
【考案の効果】
【０００３】乗り物の中でお弁当を広げて食べる際、揺れている車内でも手で押さえることなく、安心してお弁当を食べることができる。
【実施例】木箱の下に樹脂を塗布して、アクリル版の上に載せ、アクリル板を４５度まで傾けても木箱は滑り落ちることはなかった。
【図面の簡単な説明】
【０００４】
【図１】木箱の底面にホットメルトを塗布した図面。
【符号の説明】
【０００５】１木箱
２ホットメルト
【図１】
0003128310.tif 000003
(57)【要約】【課題】この考案は、噛み合い務歯を除く左右の一対のファスナーテープの全面に各種の模様、絵柄等を連続的に印刷したファスナーを提供する。【解決手段】務歯とファスナーテープとからなるファスナーにおいて、一対の務歯が噛み合った状態においてインクジェット方式による印刷により衣服等に各種の模様等を着色し、その後、噛み合った務歯の表面に付着したインクジェット方式による印刷により印刷された絵柄部を擦過除去することにより務歯を除く全ての一対のファスナーテープ部分に連続した模様からなる絵柄部が形成されるようにした。【選択図】図１
0003128307.tif 000002
【実用新案登録請求の範囲】
【請求項１】
務歯とファスナーテープとからなるファスナーにおいて、一対の務歯が噛み合った状態においてインクジェット方式による印刷により着色し、その後噛み合った務歯の表面にインクジェット方式による印刷により着色を除去することにより務歯を除く全ての一対のファスナーテープ部分に連続した絵柄部が形成されるようにしたことを特徴とするファスナー。
【考案の詳細な説明】
【考案の詳細な説明】
【技術分野】
【０００１】この考案は、務歯を除くファスナーテープの全面を後染め染色してなる着色ファスナーは、存在しない。しかしながら、務歯を除くファスナーテープの全面に各種の模様、絵柄等を連続的に印捺したファスナーは、最近のように豊かなファッション性を求められる時代には特に強く要請されている。
【背景技術】
【０００２】従来、ファスナーに使用されているファスナーテープは無地のものが大部分である。その理由は、ファッション製品においてファスナーが使用される部分には前布で隠されることが多いためファスナーテープのファッションはほとんど無視されていた。
しかし、近時ファッション製品が多様化してきてファスナーに使用されているファスナーテープの全面にもファッション性が強く求められるようになってきた。例えば、このような要請に応えるものとして、噛み合ったファスナー素材の務歯表面と布テープをほぼ同じ平面に位置させた状態で印捺することにより、対向側面の務歯列の個所を除き、該務歯列からわずかな縦間隔をおいて布テープ部の表面にプリント模様を形成するものがある。（例えば、特許文献１）
【特許文献１】特開２００１−１４５５０６号
【考案の解決しようとする課題】
【０００３】前記の特許文献１のような布テープ部の表面にプリント模様を形成するものは、それなりのファッション性を備えているが、但し、両側の務歯列からわずかな縦間隔には無模様列が形成されるので、務歯を除くファスナーテープの全面に連続的な模様が形成されることがないため、これが衣類等のファッション性を大きく減殺するという問題点がある。
【課題を解決するための手段】
【０００４】本考案は、上記の問題点に鑑み、務歯とファスナーテープとからなるファスナーにおいて、一対の務歯が噛み合った状態においてインクジェット方式による印刷により着色し、その後噛み合った務歯の表面にインクジェット方式による印刷により着色を除去することにより務歯を除く全ての一対のファスナーテープ部分に連続した模様が形成されるようにしたものである。
【考案を実施するための最良の形態】
【実施例１】
【０００５】ファスナーａは、左右一対のファスナーテープ１と、左右一対の噛み合い自在の務歯２とからなっている。
本件考案の務歯を除くファスナーテープの全面に模様を付してなるファスナーａへのインクジェット方式による印刷工程は以下のように行われる。【０００６】１．ファスナーの全面への印刷工程
左右一対の務歯２を噛み合わせた状態で、本来必要な模様等の絵柄部３をインクジェット方式による印刷を左右一対のファスナーテープ１と、左右一対の務歯２の全面に印刷する。したがって、当然のことながらインクジェット方式による印刷による絵柄部３は、噛み合っている一対の務歯２の表面にも付着している。インクジェット方式によるカラー印刷された絵柄３は、各種の色彩の模様、記号、文字、図形を含むものである。４は、スライダーである。５は、プルタブである。【０００７】２．噛み合った務歯表面の印刷部分の除去
上述の印刷手段では、当然のことながら、インクジェット方式による印刷により噛み合っている一対の務歯２の表面には絵柄部３が付着している。この絵柄部３は細かなサンドペーパー等により擦過除去する。【０００８】３．インクジェット方式による印刷に使用されるインク
本件考案で使用されるインクは、テキスタイル用プリンタ用インク（染料インク）である。  染料インクとして、分散染料インク又は反応染料インクが使用される。いずれのインクを選ぶかはファスナーテープ１の生地の特性の上から選ばれる。【０００９】４．印刷後のコーティング
ファスナーテープ１に対してインクジェット方式による印刷した状態では、ファスナーテープ１の風合いが硬く、その耐水性、耐洗濯性に問題がある場合には、それを改善するのに、コーテイング剤を塗布することによって、これらの欠点を改善することができる。例えば、このようなコーテイング剤として株式会社デンエンチョウフ．ロマンと、伊藤忠商事株式会社にて販売されているコーテイング剤を使用する。【００１０】左右一対のファスナーテープ１の外端部４は、服地に縫着される。左右一対のファスナーテープ１に印刷される模様等の絵柄部３は、基本的には服地の模様等の絵柄部に応じてコーディネートされ、ファスナーテープ１が服地のファッション性を損なうことはない。
【考案の効果】
【００１１】本願考案のファスナーテープの全面に模様を付してなるファスナーでは、一対のファスナーテープの全域に模様等の絵柄部を連続的に印刷ができるので、衣服のファッション性を損なうことがないがないため、本願考案のファスナーは、衣服のファッションから孤立するのでなく、衣服等の模様等の絵柄全体の中で渾然一体的に違和感なくファッションの欠かせない一部となるものである。
【図面の簡単な説明】
【図１】務歯を噛み合い状態としたファスナーの一部省略平面図
【図２】上方の務歯をを開放した状態としたファスナーの一部省略平面図
【符号の説明】
１．．ファスナーテープ
２．．務歯
３．．模様等の絵柄部
４．．スライダー
５．．プルタブ
ａ．．．ファスナー
【図１】
0003128307.tif 000003
【図２】
0003128307.tif 000004
(57)【要約】【課題】  仏事に参加した後、自宅へ入る前に、体を清めるための塩を用意する手間を省くことができる、岩塩を珠に使用した数珠を提供する。【解決手段】  球形に加工した岩塩に紐を通す穴を開け、それら複数の球形の岩塩を紐で連ねてリング状にし、紐を結束することにより構成する、珠が岩塩であることを特徴とする数珠。【選択図】図２
0003128306.tif 000002
【実用新案登録請求の範囲】
【請求項１】
球形に加工した岩塩に紐を通す穴を開け、その穴に紐を通して複数の球形の岩塩をリング状に連ねて、紐を結束することにより構成した、岩塩を珠として使用することを特徴とする数珠。
【考案の詳細な説明】
【技術分野】
【０００１】  本考案は、球形に加工した岩塩を珠に使用した数珠に関するものである。
【背景技術】
【０００２】  従来は、仏事に参加した後、自宅へ入る前に、塩を用いて体を清めていた。
【考案の開示】
【考案が解決しようとする課題】
【０００３】  しかし、自宅へ入る前に塩を用意する作業は、時間的、精神的に負担であった。
【課題を解決するための手段】
【０００４】  そこで、岩塩を球形に加工し、これに紐を通す穴を開けておき、これらの球形の岩塩を複数紐で連ね、リング状にして紐を結束する。本考案は、以上の構成よりなる、岩塩を珠とした数珠である。
【考案の効果】
【０００５】  数珠の珠が岩塩であるため、仏事に参加した後、自宅へ入る前に塩を用意する手間を省くことができるため、時間的、精神的負担が軽くなる。
【考案を実施するための最良の形態】
【０００６】  図１は、球形に加工した岩塩（１）に紐を通すための穴（２）を開けたものの外観図であり、図２は、図１で示す球形の岩塩（３）に開けた穴に、紐（４）を通し、複数の岩塩をリング状に連ねて、紐を結束する（５）ことにより構成された数珠の外観図である。紐（４）を結束した部分（５）は、房（６）として加工している。【０００７】  結束した部分は、房（６）としない場合もある。
【図面の簡単な説明】
【０００８】
【図１】  本考案に係る球形に加工した岩塩（１）に、紐を通すための穴（２）を開けたものの外観図である。
【図２】  図１で示した穴を開けた球形の岩塩（３）の穴に、紐（４）を通し、複数の岩塩をリング状に連ねて、紐を結束する（５）ことにより構成された数珠の外観図である。紐（４）を結束した部分（５）は、房（６）として加工している。
【符号の説明】
【０００９】  １  球形に加工した岩塩
２  紐を通すために開けた穴
３  球形に加工し、紐を通すための穴を開けた岩塩
４  紐
５  紐を結束した部分
６  房
【図１】
0003128306.tif 000003
【図２】
0003128306.tif 000004
(57)【要約】      （修正有）【課題】食物残渣を含む生ゴミ等を収納した状態で集積場に集積されるゴミ袋がカラス等の小動物により食いちぎられ、収納物が食い荒らされて付近に散乱すること又は収穫前の野菜、果物等の農作物がカラス等の小動物により食い荒らされることを安価な手段により防止する。【解決手段】黄色の合成樹脂により多数の網目３、３・・・を備えた網状に形成してなるゴミ袋用又は農作物用被覆体。黄色の合成樹脂は、一例として、ポリエチレンに黄色系の顔料を添加してなるものとする。合成樹脂は、好ましくは、一定以上の明度を有し、鏡面光沢度［Ｇｓ（６０°）］が３５％以上のものを使用する。網目の大きさは、好ましくは、２ｃｍ×２ｃｍ以内とする。【選択図】図２
0003128360.tif 000002
【実用新案登録請求の範囲】
【請求項１】
黄色の合成樹脂により多数の網目を備えた網状に形成してなるゴミ袋用又は農作物用被覆体。
【考案の詳細な説明】
【技術分野】
【０００１】
本考案は、ゴミ袋用又は農作物用被覆体に関するものであり、更に詳しくは、収集、廃棄のために各地区の集積場に集積される生ゴミ等のゴミ袋上又は収穫前の野菜、果物等の農作物上に被覆されるゴミ袋用又は農作物用被覆体に係るものである。
【背景技術】
【０００２】
近年、ゴミの分別収集を徹底させるため、ゴミ袋は、収納物を外部から視認することができる透明ないし半透明の合成樹脂により形成してなるものが使用されている。
【０００３】
集積場に集積されるゴミ袋には一般家庭、飲食店等から出る食物残渣を含む生ゴミ等が収納される。透明ないし半透明のゴミ袋にこのような食物残渣を含む生ゴミ等を収納した状態で該ゴミ袋を集積場に集積した場合には、カラス等の小動物もその収納物を視認することができる。従って、これらのゴミ袋はしばしばカラス等の小動物により食いちぎられ、収納物が食い荒らされて付近に散乱するという問題が生じている。
【０００４】
このような問題を解決するために、例えば特開平２００６−７６７６１号公報等により、黄色の合成樹脂フィルムにより形成されたゴミ袋が提案されている。
【０００５】
このゴミ袋は、人が収納物を視認することはできるが、カラス等の小動物が収納物を視認することができないものである。
【特許文献１】特開平２００６−７６７６１号公報
【考案の開示】
【考案が解決しようとする課題】
【０００６】
しかしながら、黄色の合成樹脂フィルムにより形成されたゴミ袋は、高価であるため、使い捨てのゴミ袋としては使用し難いという問題がある。また、収穫前の野菜、果物等の農作物についてもカラス等の小動物により食い荒らされるという問題が生じている。
【０００７】
このような状況に鑑み、本考案は、食物残渣を含む生ゴミ等を収納した状態で集積場に集積されるゴミ袋がカラス等の小動物により食いちぎられ、収納物が食い荒らされて付近に散乱すること又は収穫前の野菜、果物等の農作物がカラス等の小動物により食い荒らされることを安価な手段により防止しようとしてなされたものである。
【課題を解決するための手段】
【０００８】
上記課題を解決するために、本考案は、集積場に集積されるゴミ袋上に被覆される下記のゴミ袋用又は農作物用被覆体を提供する。
【０００９】
黄色の合成樹脂により多数の網目を備えた網状に形成してなるゴミ袋用又は農作物用被覆体。
【考案の効果】
【００１０】
本考案によるゴミ袋用又は農作物用被覆体は、黄色の合成樹脂により多数の網目を備えた網状に形成してなるものであるため、集積場に集積されるゴミ袋上又は収穫前の野菜、果物等の農作物上に被覆したときには、ゴミ袋又は収穫前の野菜、果物等の農作物に対するカラス等の小動物の視認を妨げる。従って、ゴミ袋用又は農作物用被覆体により被覆されたゴミ袋がカラス等の小動物により食いちぎられ、収納物が食い荒らされて付近に散乱し、又は収穫前の野菜、果物等の農作物がカラス等の小動物により食い荒らされるという問題は解消する。
【００１１】
各ゴミ袋用又は農作物用被覆体は、集積場に集積される多数個のゴミ袋上に被覆することができ、しかも各ゴミ袋用又は農作物用被覆体は使い捨てではなく、繰り返し使用することができるものであるから、黄色の合成樹脂フィルムにより形成された使い捨てのゴミ袋に比べ、遥かに安上がりである。更に、各ゴミ袋は、収納物を外部から視認することができる透明ないし半透明の安価なもので差し支えない。従って、本考案によれば、カラス等の小動物による被害を防ぐための費用を大幅に削減することができる。また、ゴミ袋用又は農作物用被覆体を収穫前の野菜、果物等の農作物上に被覆する場合についても、同様に低コストでカラス等の小動物による被害を防ぐことができる。
【考案を実施するための最良の形態】
【００１２】
符号１に示すものは本考案によるゴミ袋用又は農作物用被覆体である。
【００１３】
ゴミ袋用又は農作物用被覆体１は、黄色の合成樹脂により多数の網目３、３・・・を備えた網状に形成してなるものである。
【００１４】
黄色の合成樹脂は、一例として、ポリエチレンに黄色系の顔料を添加してなるものとする。
【００１５】
合成樹脂は、好ましくは、一定以上の明度を有し、鏡面光沢度［Ｇｓ（６０°）］が３５％以上のものを使用する。
【００１６】
網目３の大きさは、好ましくは、２ｃｍ×２ｃｍ以内とする。
【００１７】
ゴミ袋用又は農作物用被覆体１は集積場に集積される多数個のゴミ袋上に被覆するに足る大きさ又は収穫前の野菜、果物等の農作物上に被覆するに適した大きさを有するものとする。
【００１８】
図１における符号５に示すものは、集積場に集積されたゴミ袋である。各ゴミ袋５は、収納物を外部から視認することができる透明ないし半透明の合成樹脂により形成してなるものであり、従来より使用されている一般的なゴミ袋である。
【図面の簡単な説明】
【００１９】
【図１】本考案によるゴミ袋用又は農作物用被覆体の使用状態の一例を示す断面図である。
【図２】同上ゴミ袋用又は農作物用被覆体の一部を示す平面図である。
【符号の説明】
【００２０】
１  ゴミ袋用又は農作物用被覆体
３  網目
５  ゴミ袋
【図１】
0003128360.tif 000003
【図２】
0003128360.tif 000004
(57)【要約】 【課題】  本考案は一枚のカードの上に平仮名五十音図の一行五文字を記すことによって、五十音の反芻反復練習を可能にし平仮名の発音-識字学習を助ける。【解決手段】  本考案は学習重点文字一文字をカード左側１に、副学習文字四文字をカード右側２に書き分けをした構成とする平仮名発音・識字学習用ゲームカードを提供するものであり、平仮名一行を繰り返し反芻することにより、平仮名四十六文字の発音-識字を短期間に習得するのに役立つものとなる。【選択図】  図１
0003128383.tif 000002
【実用新案登録請求の範囲】
【請求項１】
一枚のカードの上に平仮名五十音図の一行を、学習重点文字一文字と副学習文字四文字とに左右書き分けをした構成とすることを特徴とする平仮名発音・識字学習用ゲームカード。
【考案の詳細な説明】
【技術分野】
【０００１】
本考案は、平仮名五十音図の一行分を一枚のカードに書き記し、発音と識字両面より平仮名を学習していくカードゲームに使用されるカードに関するものである。
【背景技術】
【０００２】
平仮名を習得した者に対しては、かるた等で平仮名を言葉、文として発展させていくカード遊びがあった。
【特許文献１】特開２００６−１９４９８５
【考案の開示】
【考案が解決しようとする課題】
【０００３】
国際結婚の家族や海外駐在の家族にとって、子供の日本語習得の第一歩である平仮名
との出会いはなかなか難しい。子供の生活環境は多様であり、日本語を学習する機会も
均等でない。したがって、日本語の基礎である五十音の発音-識字をどんな環境においても手軽にかつ簡単なゲームとして取り入れ習熟することを本考案によって可能とし、前述の欠点を解決しようとするものである。
【課題を解決するための手段】
【０００４】
本考案は、一枚のカードの上に平仮名五十音図の一行分を学習重点文字一文字とその他の副学習文字四文字に左右書き分けをした構成とする平仮名発音・識字学習用ゲームカードを提供するものである。例えば、あ行であれば、「あ」の一文字が学習重点文字で、他の「い」，「う」，「え」，「お」の四文字が副学習文字となる。五十音図の四十六文字について、「ん」を除きすべての平仮名行カードは、学習重点文字と副学習文字で構成されていることになる。
【考案の効果】
【０００５】
上述の様に、本考案の平仮名行カードはカードゲームをする上で五十音を行単位で何度も発音し識字するので、短期間に少ない労力で平仮名の発音-識字を習得するのに役立つ。
【考案を実施するための最良の形態】
【０００６】
四十六枚の平仮名行カードをゲーム参加人数に合わせて一人に５枚から７枚を配る。余
ったカードは参加者の中央に置く。ゲーム参加者は五十音の一行五文字を１セットとして集め、行の文字が全部集まった時、“５テット”といってカードをテーブルに並べることができる。その際カードは列の順に読み上げながら並べていく。自分の欲しいカードを相手が持っていない場合は中央のカードを引く。例外は「や-ゆ-よ」「わ-を」「ん」の３セットで、これらは“３テット”“２テット”“１テット”でカードを並べる。
【実施例】
【０００７】
以下添付図面にしたがって一実施例を説明する。図１の（イ）と（ロ）は学習重点文字１、副学習文字２、アルファベットを読める者に付加可能の英文字シール３を示すものである。カードを呼ぶ場合、平仮名一行を先ず読み上げてから学習重点文字を読み上げる。したがって、図１の（イ）の「あ」のカードは「あいうえお」の「あ」と読み上げ、図１の（ロ）の「え」のカードは「あいうえお」の「え」と読み上げる。この様に反芻しながら言語活動をすることが大前提となる。
【０００８】
カード遊びの参加者の平仮名習熟度により学習したい平仮名行を限定することが可能である。
【０００９】
図２の学習重点文字補強カード４、または、図３の折りたたみ式学習重点文字補強カード５は、該カードを読み上げる際、つっかえや間違いがあった場合に使うものである。また、ゲーム終了後にも使用する。
【００１０】
本考案の平仮名発音・識字学習用ゲームカードは上述の如きゲームの中で平仮名を学習できるものである。もちろん、濁音-半濁音のある平仮名の発音-識字学習にも有効である。
【図面の簡単な説明】
【００１１】
【図１】本考案の平仮名発音・識字学習用ゲームカードの平仮名行カードの文字構成図である。
【図２】本考案の平仮名発音・識字学習用ゲームカードの学習重点文字補強カードの構成図である。
【図３】本考案の平仮名発音・識字学習用ゲームカードの折りたたみ式学習重点文字補強カードの構成図である。
【符号の説明】
【００１２】
１    学習重点文字（カード左側）
２    副学習文字（カード右側）
３    英文字シール
４    学習重点文字補強カード
５    折りたたみ式学習重点文字補強カード  
【図１】
0003128383.tif 000003
【図２】
0003128383.tif 000004
【図３】
0003128383.tif 000005
(57)【要約】【課題】    可動式ベッドにて使用する枕が上半身部の上昇時に滑落する問題があり、枕の滑落防止と位置固定のための製品を提供する。【解決手段】    シーツの頭部付近に枕保持ポケット又はマジックテープ（登録商標）による係止機能を設け、ここに枕本体を収納若しくは貼付することによって枕の滑落を防止すると共に枕カバーと一体化することによって交換作業の効率化を得るように構成されている。【選択図】  図１
0003128393.tif 000002
【実用新案登録請求の範囲】
【請求項１】
枕位置に袋状・筒状等の保持ポケットを形成し、枕を当該保持ポケット内に収納することにより可動式ベッド等において滑落を防止し枕位置を固定する機能を特徴とするベッドシーツ。
【請求項２】
枕位置の固定方法を枕とシーツ間に脱着式のマジックテープ（登録商標）加工したことを特徴とする請求項１に記載のベッドシーツ。
【考案の詳細な説明】
【技術分野】
【０００１】
本考案は、可動式ベッド等にて使用される枕の滑落を防止するために枕保持ポケット又はマジックテープ（登録商標）係止機能を設けたシーツに関する。
【背景技術】
【０００２】
従来より敷き布団若しくは平台型ベッドにおいて使用される枕とシーツは別個であって、枕は就寝の際、頭部付近に置くだけか固定する場合は紐状のものにて結束した状態で使用されていた。
【特許文献１】特開２００５−２８７５４５
【考案の開示】
【考案が解決しようとする課題】
【０００３】
最近の可動式ベッドにおいては、上半身部の上下動時などには枕がずり落ちたり、落下してしまう問題があり、またベッドメーキング時においても個人的な好みの位置が変わってしまったりする問題があった。
【０００４】
また、簡易に紐状のもので縛っても布団がよれたり、上下の動きには効果が薄く、可動式ベッドにおける使用には耐えなかった。
【課題を解決するための手段】
【０００５】
本考案は、可動式ベッド等において使用するシーツに枕を保持するためのポケット又はマジックテープ（登録商標）による係止機能等を設け、そこへ枕本体を収納保持して枕位置を固定させ、ベッドの上下稼働時においても枕の滑落を防止するよう手段を講じたものである。
【考案の効果】
【０００６】
この考案は前記のように構成されており、以下に記載のような効果を有する。
【０００７】
近年では、病院のみならず家庭においても電動式手動式を問わず上半身及び下半身部分の上下動が出来るベッドが普及し始めており、ベッド上においての食事や読書の際には、上半身部分の仰角を上げて頭部を起こして使用する機会がある。
【０００８】
ベッドの上半身部を起こして使用する際には、当然頭部付近も持ち上がるため就寝時に使用している枕も急傾斜の位置に残され、ずり落ちまたは落下してしまう問題があった。
【０００９】
本考案製品は、可動式ベッド等において使用されるシーツに枕本体の位置を固定させるポケット又はマジックテープ（登録商標）による係止機能を設け、そこに枕を収納若しくは貼付することによりベッドの上半身部分が仰角上昇しても、枕位置を保持しズレ、滑落を防止する構造となっている。
【００１０】
なお、枕を保持するポケットに枕を収納する場合には枕全体が収納され、直接人体頭部に触れないので枕自体が汚れにくく、シーツ交換の際には一緒に枕カバーも交換される利点がある。
【００１１】
一方、マジックテープ（登録商標）による係止の場合には、より枕位置の微調整が可能であり、使用者の好みに応じて調整することが出来る利点がある。
【００１２】
また、可動式ベッドの上半身部仰角上昇時の使用において、例えばテレビ視聴時には頭部付近に保持された枕はヘッドレストの役目を果たすことができる。
【考案を実施するための最良の形態】
【００１３】
シーツの頭部付近にずり落ち・落下防止のための枕保持用のポケット又はマジックテープ（登録商標）係止機能を設け、ここへ枕本体を収納若しくは貼付する事により枕位置が固定される。
【００１４】
枕の保持ポケットでは、枕本体を全周全体に及んで包むことにより枕カバーの役目も兼ねる事が可能となり、シーツ取り替えの際に同時に交換され効率的な交換作業の効果も得る。
【００１５】
マジックテープ（登録商標）での係止においては、枕裏面とシーツの頭部付近にマジックテープ（登録商標）を施して脱着式とする。
【実施例１】
【００１６】
本考案に基づく一例を示す図１は、シ−ツと本考案製品の枕保持ポケットとを組み合わせた状態を示す。
【００１７】
図１では、シーツ４の頭部付近に枕本体の保持ポケット１を設けており、このポケットに枕本体３を収納することにより枕を使用者の頭部付近に保持固定させる。
【００１８】
ポケットの形状は例えば上部開口２のものであっても、両端横開口式の筒状の構造であっても構わない。
【００１９】
また、簡易式としてはシーツ部と枕側とにマジックテープ（登録商標）等の脱着式の固定具を施して、枕の固定位置の微調整が可能な構造とする方法もある。
【００２０】
なお、枕保持ポケットはシーツに縫合されたものに限らず、ポケットの縁が脱着自在なマジックテープ（登録商標）、ジッパー若しくはホック止め方式等とすることにより、ポケット内部の清掃洗濯を容易とし、枕保持ポケット部のみの取り替えにも対応することが出来る。
【００２１】
また、季節に応じて保持ポケットの布素材を例えば夏には麻など通気性の良いもの、冬には起毛状の保温性素材などに取り替えることにより、使用者が快適に利用できるようになる。
【産業上の利用可能性】
【００２２】
本考案の製品は、最近では病院・介護施設等および一般家庭においても広く普及している可動式ベッドにおいて、上半身部の仰角上昇時に枕位置を保持でき、毎食時や読書、面会者との会話時等には枕の滑落を気にせずに上半身部を起こすことが出来るので、可動式ベッドの利点を有効且つ簡便に利用することが出来る。
【００２３】
また、枕の保持方法が固定器具等を用いないので、寝返りなどの際に固定金属部等が顔や頭に触れることもなく安全で、更に価格的にも縫製の範囲で対応できるので、製造コストも特段に要せず製造することが出来る利点がある。
【００２４】
更に、枕自体は保持ポケット内に余裕を持って収納されているので、高さの調整や枕の形状・大小に制約が生じず使用者の好みに応じて柔軟に対応することが可能である。
【００２５】
なお、マジックテープ（登録商標）による係止方法であれば、枕位置の固定が簡単に実現できると共に脱着が自由であるから、ベッドの使用状態に応じて例えば上半身部を起こして読書時には枕を立て状態で背当てとしたり、一時的に取り除いてしまうことが容易である。
【図面の簡単な説明】
【００２６】
【図１】本考案製品の枕保持ポケットとシーツを組み合わせた状態の一例図
【符号の説明】
【００２７】
１…枕保持ポケット
２…開口部
３…枕
４…シーツ
【図１】
0003128393.tif 000003
(57)【要約】【課題】正面からの日差しを必要に応じ任意に遮断できるサンバイザーであって、簡易且つ安価に製造できるものを市販に供する。【解決手段】  着用者の頭部周側に嵌められる弾性を有する支持バンドと、この支持バンドに固定されているひさしからなり、該ひさしの裏面に対し凡そ同形状の大きさで紫外線を遮る加工が施された透明又は半透明の合成樹脂材からなる内側ひさしを重ね、該内側ひさしは上記ひさしの左右箇所に対し止めピンを使用して回動自在に止着させた。【選択図】      図４
0003128394.tif 000002
【実用新案登録請求の範囲】
【請求項１】
着用者の頭部周側に嵌められる弾性を有する支持バンドと、この支持バンドに固定されているひさしからなり、該ひさしの裏面に対し凡そ同形状の大きさで紫外線を遮る加工が施された透明又は半透明の合成樹脂材からなる内側ひさしを重ね、該内側ひさしは上記ひさしの左右箇所に対し止めピンを使用して回動自在に止着させたことを特徴とするサンバイザー。
【考案の詳細な説明】
【技術分野】
【０００１】
本考案は、正面からの日差しを遮断するサンバイザーに関する。
【背景技術】
【０００２】
従来より、着用者の頭部周側に嵌められる弾性を有するＣ字状の支持バンドにひさしが固定されているサンバイザーが知られている。しかし、ひさしが固定されているため、正面からの日差しを遮断できないという問題がある。そこで、特許文献１にはひさしが支持バンドに回動自在に取付けられており、太陽光線の照射角度に合わせて、ひさしを左右上下にかえることができるものが示されている。
しかし、特許文献１に示されたものは、構造が複雑であるため、簡単に製造することができない。また高価にならざるを得ない。
【特許文献１】登録実用新案第３０８０７６４号公報
【考案の開示】
【考案が解決しようとする課題】
【０００３】
本考案は、かかる問題点を解決するものであって、正面からの日差しを必要に応じ任意に遮断できるサンバイザーであって、簡易且つ安価に製造できるものを市販に提供しようとするものである。
【課題を解決するための手段】
【０００４】
本考案に係るサンバイザーは、着用者の頭部周側に嵌められる弾性を有する支持バンドと、この支持バンドに固定されているひさしからなり、該ひさしの裏面に対し凡そ同形状の大きさで紫外線を遮る加工が施された透明又は半透明の合成樹脂材からなる内側ひさしを重ね、該内側ひさしは上記ひさしの左右箇所に対し止めピンを使用して回動自在に止着させたことを特徴とする。
【考案の効果】
【０００５】
本考案は以上の通り構成するものであって、ひさしの内側に上下に回動する内側ひさしをピンにより取付けたことにより、簡単に製造でき、使用する場合も容易にすることができるものとなる。また、内側ひさしは紫外線を遮る加工が施された透明又は半透明の合成樹脂材からなるため、日差しによる紫外線から顔を保護するものであって、視界を遮るものではない。
【考案を実施するための最良の形態】
【０００６】
以下、図面に示す実施の形態について説明する。 
図１は本考案に係るサンバイザーの斜視図、図２は底面図、図３は止めピン部分の断面図である。本考案に係るサンバイザー１は、着用者の頭部周側に嵌められる弾性を有する支持バンド２と、この支持バンド２に固定されている遮光用のひさし３からなる。
【０００７】
本考案に於いては、ひさし３の裏面に対し、内側ひさし４を設けた二重構造になしてある。該内側ひさし４は、紫外線を遮る加工が施された透明又は半透明の合成樹脂材からなる。而して、該内側ひさし４はひさし３と凡そ同形状の大きさであるが、ひさし３の根元側からの長さ寸法Ｌは５ｃｍ〜１０ｃｍ短くなる前方箇所へ止めピン５を使用し、図３に示す如く上下間で挟み付けることにより回動自在に取付けられている。
【０００８】
図４は上記内側ひさし４を顔面の前方へ下降させる状態を示すものであり、止めピン５を支点にして簡単に移動させることができる。この状態は正面からの太陽光線を完全に遮断することができるものとなる。なお、不必要時に於いては、上記内側ひさし４はひさし３の裏面に対して一体化の重ね状態にできるのであり、その使用では軽量でしかも見た目では普通のサンバイザーと何ら変わりないのであり、だれも違和感なく使用を可能にできるものとなる。なお、止めピン５はワンポイントの意匠効果を呈するものとなっている。
【図面の簡単な説明】
【０００９】
【図１】本考案に係るサンバイザーの斜視図である。
【図２】底面図である。
【図３】止めピン部分の断面図である。
【図４】内側ひさしを顔面の前方へ下降させる状態の説明図である。
【符号の説明】
【００１０】
１    サンバイザー
２    支持バンド
３    ひさし
４    内側ひさし
５    止めピン
【図１】
0003128394.tif 000003
【図２】
0003128394.tif 000004
【図３】
0003128394.tif 000005
【図４】
0003128394.tif 000006
(57)【要約】      （修正有）【課題】包丁での調理材切断時、切り落とし材料が包丁のわき腹に付いてしまう事が多い、一々手で除く煩わしさと切断後の、形整理の煩わしさを減少させ、作業量の多い場合の能率を考えた包丁用補助具を提供する。【解決手段】軟質樹脂材料及びマグネットゴム材料を原料とし一体で作る、磁力効果の表れる金属製包丁にはマグネットゴム材料で、ステンレス、セラミック等には両面粘着テープ接着材料を張り付け、不必要時、衛生上の洗浄、研磨するため必要時着脱を簡単に行えられる様にしてある、三角形の細長い矢じり形状は切断時すぐ接触抵抗を少なくしている為、はく離効果を向上させている、そして右ききの人、左ききの人の為に左右用２種類を用意して対応した包丁用補助具。【選択図】図１
0003128546.tif 000002
【実用新案登録請求の範囲】
【請求項１】
包丁用補助具本体の片側表面に複数の三角形の細長い矢じり形状の突起物がその先端を下辺に向けて一定間隔で斜め方向に配列され、他の表面が平滑である一体成型の薄板で、包丁の片側面に着脱可能であることを特徴とした包丁用補助具。
【考案の詳細な説明】
【技術分野】
【０００１】  本考案は、包丁での切断調理時において、切った材料が包丁から容易に離れるようにするための包丁用補助具である。
【背景技術】
【０００２】  従来の包丁は、調理時に切った材料が包丁刃に付きやすく、取り除きながらは作業量の多い場合には非能率的であった。これを改善するため着脱可能な包丁の補助具が開示されている。例えば、特許文献１は、凹凸状の下辺部を有する平板を磁性体で製作し磁力によって包丁側面に取り付けて使用する補助具である。
【特許文献１】  特開平  １１−３０００６７
【考案の開示】
【考案が解決しようとする課題】
【０００３】  補助具形状が平板である場合、切断抵抗が大きく切りにくい感がある、本考案は三角形の細長い矢じり形状なので切ったそばから接触抵抗を少なくしているため、はく離効果がハッキリする。
【課題を解決するための手段】
【０００４】  各種の包丁は峰より刃先に掛けての断面形状は一律でない為、形状に合わせられる様に包丁用補助具全体に弾力性を持たせた軟質樹脂材料及びマグネットゴム材料で作り、包丁のわき腹部分に金属製包丁には磁力で張り付かせ、ステンレス、セラミック材料などには両面粘着テープ接着材利用で張り付かせる、切断された調理材料一片は重量的には軽いので、包丁に付着させている磁力、テープ粘着力で充分に包丁用補助具は保持されるので問題はない、はく離目的で三角形の細長い矢じり形状の部材複数は等間隔にし一体にした形で作る。
【考案の効果】
【０００５】  包丁用補助具を付けることにより今まで調理材を切るたび包丁に付着していた調理材は、はく離され奇麗な切り落とし状態で並ぶので一々手で外し奇麗に並べ直す煩わしさが無く又量的作業には特に能率的に進められる、
【考案を実施するための最良の形態】
【０００６】  包丁用補助具には取り付け不必要時、衛生上の洗浄、研磨時に着脱簡単にするため金属製包丁用には磁力効果が表れるマグネットゴム材、ステンレス、セラミック材料など軟質樹脂製用には両面粘着テープ接着材を張り付ける、各種の包丁は峰より刃先にかけての断面形状は一律とは言えないため柔軟性での接着を考慮してある、包丁用補助具本体の大きさは調理素材がそれ程大きくないので幅２５ミリ×長さ１５０ミリ位、三角形の細長い矢じり形状の間隔は１２〜１５ミリ、高い部分は４ミリ位先端部は０ミリ、そして作業時は上より斜め下に向い切断するのが自然な行為な為三角形の矢じり形状の向きも切断方向に平行にし、右ききの人、左ききの人に合わせるため左右用２種類を用意して対応した包丁用補助具。
【実施例】
【０００７】  以下、添付図面に従い実施例を説明する。包丁用補助具本体１を成型一体形で作りそれを三角形の細長い矢じり形状２の高い部分を上にして包丁に張り付けて調理作業を行う
【図面の簡単な説明】
【０００８】
【図１】包丁用補助具の正面図である。
【図２】包丁用補助具の断面図である。
【図３】包丁用補助具の平面図である。
【図４】は実施要領をスケッチ風に書いた作用図である。
【図５】包丁の断面に包丁用補助具を張り付けた図である。
【符号の説明】
【０００９】    １  包丁用補助具本体
２  三角形の細長い矢じり形状
３  点線表示は包丁図
【図１】
0003128546.tif 000003
【図２】
0003128546.tif 000004
【図３】
0003128546.tif 000005
【図４】
0003128546.tif 000006
【図５】
0003128546.tif 000007
(57)【要約】【課題】  本考案は、音楽の演奏により賞杯授与の際に式典を盛り上げることが出来、また後々音楽演奏を楽しむことも出来る賞杯台を提供する。【解決手段】  賞杯台本体１は側版に飾り窓５を設けた箱状の台を作成し、その台本体の内部にオルゴール２を設置することにより必要な際に音楽を奏でることが出来る。【選択図】図１
0003128547.tif 000002
【実用新案登録請求の範囲】
【請求項１】
木材又は樹脂からなる箱状の側版に開口部を設け内部にオルゴールを設置したところを特徴とする賞杯の台。
【考案の詳細な説明】
【考案の詳細な説明】
【技術分野】
【０００１】  本考案は、内部に空間を設けオルゴールを設置した賞杯用の台に関するものである。
【背景技術】
【０００２】  従来、表彰で授与される賞杯の台座は銘板を取り付けるだけの物であった。
【考案の開示】
【考案が解決しようとする課題】
【０００３】  賞杯授与の際には、式典を盛り上げるために音楽の演奏などが行われるが、それには人手が必要であり経済負担も大きくなっていた。また授与された賞杯は、飾り置くかもしくはケースに収納して置くかで用途は限られていた。
【課題を解決するための手段】
【０００４】  本考案は、木材又は樹脂からなる箱状に作られた側面の一部に開口部を設けた賞杯の台において、その内部にオルゴールを設置し、それにより必要の際にオルゴールを演奏させることにより問題を解決するものである。
【考案を実施するための最良の形態】
【０００５】    以下、添付図面に従い実施例を説明する。木材又は樹脂など適宜素材にて形成された台本体１の側板の一部に飾り窓５を開け内側より布生地でカバー６を取り付ける。底板３は接地面より適当な間隔を置き、その内側にオルゴール本体２を操作部４のみ外側に出るよう設置し組み立て天板には賞杯７を取り付け固定する。
【考案の効果】
【０００７】  本考案のオルゴール付き賞杯台を使うことによりイベントは盛り上がることは勿論、記念に飾って置くのみでなく後々オルゴール演奏を楽しむことが出来る。また目の不自由な方への授与の際では音楽による賞賛なので末永く記念になる。さらに開口部を設けることは共鳴効果を高めるだけではなく、飾り窓にすることにより紋章などの装飾が可能になり賞杯の用途を広げることが出来る。
【図面の簡単な説明】
【０００８】
【図１】  本考案の実施例を示す部分断面図である。
【図２】  本考案の斜視図である。
【符号の説明】
【０００９】  １  賞杯台本体
２  オルゴール
３  底板
４  操作部
５  飾り窓
６  布カバー
７  賞杯
【図１】
0003128547.tif 000003
【図２】
0003128547.tif 000004
(57)【要約】【課題】本考案は６ツ穴ボタン本体に英字・数字をカラー糸によって表現出来る。ブランド保護にもつながる【解決手段】本考案、ボタン本体１にボタン穴６ツ２に英字３をカラー糸４で英字を表現する【選択図】図２
0003128550.tif 000002
【実用新案登録請求の範囲】
【請求項１】
糸通し穴を左右或いは上下対象に６ケ所に設けたことを特徴とするボタン。
【考案の詳細な説明】
【技術分野】
【０００１】  本考案は６カ所に糸通し穴を有したボタンに関する。
【背景技術】
【０００２】  ボタンには糸通し穴が２ツのものと４ツものが存在しこれらによって衣服を掛けていた。
【考案の開示】
【考案が解決しようとする課題】
【０００３】  従来の２つ穴や４つ穴ボタンでは糸通し穴は実用性のみでボタンを衣服に留めるだけの目的で使用していたため、ボタンを衣服に取り付ける際にボタンそのものにファッション性を求めることはできなかった。ボタンといえども衣服の一部であるので何らかの装飾が望まれるところである。
【課題を解決するための手段】
【０００４】  ボタン部分にファッション性を出すためにはボタンそのものを改良すれば良く、ボタンの糸通し穴を６個にして当該穴を左右或いは上下対象に設ければ、当該穴を使用してボタンを衣服に取り付けるときに取り付ける糸の通し方によってボタン表面にはローマ字や数字を表現することができる。
【考案の効果】
【０００５】  ６ツ穴にすることによって表現できなかった名前、ブランド記号等が表現できることによってファッション性が生まれ有効利用ができるほか、自社ブランドのＰＲや、偽ブランドの識別にも効果がある。
【考案を実施するための最良の形態】
【０００６】  表現をする英字・数字を決め、ボタンのベースの色を表現する字のカラーを決め手作業にして作成するか英字によっては６ツ穴の向きを変えたりしてより実字に近いように作業する。
【実施例】
【０００７】以下添付図面に従って実施例を説明する。
１，は耐久性のポリエステル樹脂適宜素材に一体化形成されたボタン本体
２，はボタン穴６個
【図面の簡単な説明】
【０００８】
【図１】本考案の正面図
【図２】手付け表現後の正面図
【符号の説明】
【０００９】１  ボタン本体
２  ボタン穴
３  英字例
４  カラー糸
【図１】
0003128550.tif 000003
【図２】
0003128550.tif 000004